(57)【要約】【課題】個人情報を表示することなく、検診を受ける者を特定することのできる検診着を提供する。【解決手段】検診着本体部１と、この検診着本体部１に着脱可能な識別体部２とを備え、上記識別体部２は、上記検診着本体部１に取り付けるための取付部２１と、上記検診着本体部１に取り付けられた状態で視認可能な部分であり、検診を受ける者を特定するための、個人情報を除く記号２３を記載できる表示部２２とを備えた検診着を提供する。【選択図】図１
0003132361.tif 000002
【実用新案登録請求の範囲】
【請求項１】
医療などの検診を受ける者が、検診時に着用するための検診着であって、
検診着本体部（１）と、この検診着本体部（１）に着脱可能な識別体部（２）とを備え、
上記識別体部（２）は、上記検診着本体部（１）に取り付けるための取付部（２１）と、
上記検診着本体部（１）に取り付けられた状態で視認可能な部分であり、検診を受ける者を特定するための、個人情報を除く記号（２３）を記載できる表示部（２２）とを備えたことを特徴とする検診着。
【請求項２】
検診着本体部（１）にポケット（１２）が設けられており、
上記識別体部（２）における取付部（２１）が、上記ポケット（１２）へ差し込むことができるものとされたことを特徴とする、請求項１に記載の検診着。
【請求項３】
上記ポケット（１２）が、検診着本体部（１）における腕部（１１）に設けられたことを特徴とする、請求項２に記載の検診着。
【請求項４】
上記識別体部（２）が板状体とされており、
上記取付部（２１）が下方に、上記表示部（２２）が上方に設けられ、
上記取付部（２１）と上記表示部（２２）との間には、折り曲げが可能とされたヒンジ部（２４）が設けられており、
上記表示部（２２）に記号（２３）が上下逆方向に記載されたことを特徴とする、請求項３に記載の検診着。
【考案の詳細な説明】
【技術分野】
【０００１】
本願考案は、医療などの検診を受ける者が、検診時に着用するための検診着に関するものである。
【背景技術】
【０００２】
医療機関などで健康診断などの検診を受ける際に、検診を受ける者は検診着を着用することが多い。この際、医療機関などの側が検診を受ける者を特定するために、自己の名前を記載した名札を検診着に取り付けてもらっていた。
【考案の開示】
【考案が解決しようとする課題】
【０００３】
ところが、昨今の個人情報保護強化の流れから、氏名などの個人情報を他人の目にさらすことは避けた方が良いのではないかという意見が聞かれるようになった。
【０００４】
また、従来用いられていた名札は、クリップや安全ピンにより検診着に取り付けるものであったため、脱落してしまう恐れや、クリップや安全ピンの金属部分がレントゲン撮影などに悪影響を与える恐れがあった。
【０００５】
本願考案はこのことに鑑み、個人情報を表示することなく、検診を受ける者を特定することのできる検診着を提供することを課題とする。
【０００６】
また、クリップや安全ピンを用いることなく、検診を受ける者を特定するための情報を表示できる検診着を提供することを課題とする。
【課題を解決するための手段】
【０００７】
上記課題を解決するために、本願の請求項１に記載の考案は、医療などの検診を受ける者が、検診時に着用するための検診着であって、検診着本体部１と、この検診着本体部１に着脱可能な識別体部２とを備え、上記識別体部２は、上記検診着本体部１に取り付けるための取付部２１と、上記検診着本体部１に取り付けられた状態で視認可能な部分であり、検診を受ける者を特定するための、個人情報を除く記号２３を記載できる表示部２２とを備えたことを特徴とする検診着を提供する。
【０００８】
また、本願の請求項２に記載の考案は、検診着本体部１にポケット１２が設けられており、上記識別体部２における取付部２１が、上記ポケット１２へ差し込むことができるものとされたことを特徴とする、請求項１に記載の検診着を提供する。
【０００９】
また、本願の請求項３に記載の考案は、上記ポケット１２が、検診着本体部１における腕部１１に設けられたことを特徴とする、請求項２に記載の検診着を提供する。
【００１０】
また、本願の請求項４に記載の考案は、上記識別体部２が板状体とされており、上記取付部２１が下方に、上記表示部２２が上方に設けられ、上記取付部２１と上記表示部２２との間には、折り曲げが可能とされたヒンジ部２４が設けられており、上記表示部２２に記号２３が上下逆方向に記載されたことを特徴とする、請求項３に記載の検診着を提供する。
【考案の効果】
【００１１】
本願の請求項１に係る考案は、検診着本体部１に着脱可能な識別体部２が、検診着本体部１に取り付けられた状態で視認可能な部分であり、検診を受ける者を特定するための、個人情報を除く記号２３を記載できる表示部２２とを備えたことにより、個人情報を表示することなく、検診を受ける者を特定することのできる検診着を提供することができたものである。
【００１２】
本願の請求項２〜４に係る考案は、請求項１に係る考案の効果に加え、検診着本体部１にポケット１２が設けられており、識別体部２における取付部２１がポケット１２へ差し込むことができるものとされたことにより、クリップや安全ピンを用いることなく、検診を受ける者を特定するための情報を表示できる検診着を提供することができたものである。また、表示が容易にでき、識別体部２がポケット１２に対して抜き差し可能となっているため、付け替えが容易にできて管理上有利である。また、識別体部２が容易に脱落してしまうことがない。
【考案を実施するための最良の形態】
【００１３】
以下、図面に基づき本願考案の一実施例をとりあげて説明する。図１は本実施例に係る検診着を示し、図２は本実施例に係る識別体部を示す。
【００１４】
本実施例に係る検診着は、検診着本体部１と、この検診着本体部１に着脱可能な識別体部２とを備える。
【００１５】
検診着本体部１は、検診を受ける者が着用するものであって、通常の衣服と特に変わるところはなく、検診に悪影響を与えるものでない限り、種々の材質及びデザインにて実施することができる。図１では上着のみを図示したが、同種デザインのズボンとセットで着用するものとしても良い。
【００１６】
検診着本体部１において、検診を受ける者が腕を通す部分である腕部１１の、外側部分にはポケット１２が設けられている。このポケット１２は、上方に開口部１２ａを有しており、図１に示すように、後述の上記識別体部２における取付部２１をこの開口部１２ａから差し込むことができる。そしてこのポケット１２は、上記取付部２１が充分に配位できる深さとされている。そのため、識別体部２が容易に脱落してしまうことがない。
【００１７】
なお、本実施例では、レントゲン撮影などの邪魔にならないように、ポケット１２が腕部１１に設けられているが、検診の種別などによっては胸ポケットや胴体下部に設けたポケットとしても良い。
【００１８】
識別体部２は、図２に示すように、検診着本体部１に取り付けるための取付部２１と、記号２３を記載できる表示部２２とを備える。
【００１９】
この識別体部２は板状体とされている。本実施例では布製であって、取付部２１及び表示部２２にコシを持たせるために、厚紙などからなる芯材２５が挟み込まれたものとされている。材質については布以外に、紙や樹脂など種々のものが採用できる。ただし、レントゲン撮影などの邪魔になるため、金属を含まない材質としておく必要がある。
【００２０】
図２に示すように、取付部２１が下方に、表示部２２が上方に設けられている。上記各部２１，２２は連続して設けられており、上記各部２１，２２の間に、取付部２１が折り曲げ可能とされたヒンジ部２４が設けられている。ヒンジ部２４は、本例では上記の芯材２５が存在せず、布地のみからなる部分であるため、容易に折れ曲がるようになっているが、上記のように取付部２１が紙製や樹脂製である場合、板厚を薄くしたり、貫通穴を連続して設けたり、折りぐせを付けるなどしてヒンジ部２４を設けることができる。
【００２１】
取付部２１は、既に説明したように、検診着本体部１のポケット１２に差し込むことのできる部分である。この取付部２１の幅寸法Ｗはポケット１２の幅方向の内寸よりも小さくされている。また、取付部２１の高さ寸法Ｈはポケット１２に取付部２１が差し込まれた際に取付部２１がが安定して保持できる寸法であれば良い。
【００２２】
このように、取付部２１はポケット１２に対して抜き差し可能となっており、識別体部２を付け替えることが容易にできるため、管理上有利である。
【００２３】
表示部２２は、検診着本体部１のポケット１２に取付部２１が差し込まれた状態で、ポケット１２から露出し、特に医療機関関係者などの、検診を受ける者以外が容易に視認可能とされた部分である。本実施例では、取付部２１の幅寸法Ｗよりもやや大きい径寸法を有する円形部分とされているが、これに限られず、例えば四角形など、種々の形状にて実施可能である。
【００２４】
この表示部２２において、図１に示すように検診着本体部１に取り付けられた状態で視認可能に露出する側の表面には、記号２３を記載することができる。
【００２５】
記号２３としては、個人情報以外であれば、検診を受ける者を特定するための種々のものを用いることができる。数字、アルファベット、カナなどが一例として挙げられるが、子供用の検診着においては、動物やアニメキャラクターのシルエットを記載しても良く、識別可能なものである限り様々な記号を用いることができる。
【００２６】
なお、表示部２２がヒンジ部２４を境に、図２に矢印で示したように折り返されることから、本実施例では、記号２３が上下逆方向に記載されている。
【００２７】
この記号２３は、本実施例では刺繍により形成されているが、印刷などの種々の手法で表示部２２に記載することができる。また、表示部２２を当初は空白としておき、検診現場にてサインペンなどで書き込むものとされていても良い。
【００２８】
本願考案は上記のような構成を有するものであるから、個人情報を表示することなく、検診を受ける者を特定することのできる検診着を提供することができる。また、クリップや安全ピンを用いることなく、検診を受ける者を特定するための情報を表示できる。
【図面の簡単な説明】
【００２９】
【図１】本実施例に係る検診着を示す概略図である。
【図２】本実施例に係る識別体部を示す平面図である。
【符号の説明】
【００３０】
１      検診着本体部
１１    腕部
１２    ポケット
２      識別体部
２１    取付部
２２    表示部
２３    記号
２４    ヒンジ部
【図１】
0003132361.tif 000003
【図２】
0003132361.tif 000004